(57)【要約】【課題】捕虫器において、大量の虫を捕獲しても捕虫効率が低下することがなく、また簡便な構成でありながら、捕獲部に捕獲された虫が逃げ出すことを防止する。【解決手段】捕虫器１は、虫１０を誘引する光を出射する誘虫光源２と、誘虫光源２に誘引された虫１０を捕獲する空間を区画形成する捕獲部３とを備える。捕獲部３は、誘虫光源２により誘引される虫１０が侵入する入口３１と、入口３１に連通された中空かつ迷路状の捕獲空間３２とを有する。捕獲部３は、少なくとも一部が透光性を有する部材で構成される。本器１の電源が投入されると、誘虫光源２が点灯して該光源２から出射された光は、捕獲部３を透過して本器１周辺に出力される。本器１の周辺に居る虫１０は、上記光により誘引され、入口３１を通って捕獲空間３２に侵入する。捕獲空間３２に侵入した虫１０は、誘虫光源２に向かって移動し、最終的に該光源２のある捕獲空間３２の終端部まで導かれる。【選択図】図２
2010004771.tif 000002
【特許請求の範囲】
【請求項１】
虫を誘引する光を出射する誘虫光源と、前記誘虫光源に誘引された虫を捕獲する空間を区画形成する捕獲部とを備えた捕虫器において、
前記捕獲部は、前記誘虫光源により誘引される虫が侵入する入口と、該入口に連通された中空かつ迷路状の捕獲空間とを区画形成する、少なくとも一部が透光性を有する部材で構成され、
前記誘虫光源は、前記捕獲空間の終端部に設けられていることを特徴とする捕虫器。
【請求項２】
前記透光性を有する部材の光透過率が、前記誘虫光源に近付くに連れて高くなることを特徴とする請求項１に記載の捕虫器。
【請求項３】
前記透光性を有する部材の光透過率が、虫の侵入に応じて可変制御されることを特徴とする請求項１又は請求項２に記載の捕虫器。
【発明の詳細な説明】
【技術分野】
【０００１】
本発明は、誘引源に誘引された虫を捕獲する捕虫器に関する。
【背景技術】
【０００２】
従来から、この種の捕虫器として、虫を誘引する光を出射する誘虫光源と、誘虫光源に誘引された虫を捕獲する捕獲部とを備え、捕獲部が虫を吸着する粘着シートを有したものが知られている。しかしながら、このような捕虫器では、粘着シートに大量の虫が吸着すると、虫を吸着可能な粘着面が減少し、捕虫効率が低下する。
【０００３】
また、上記捕虫器の他の形態として、虫を誘引する誘引剤が充填される誘引部と、誘引部に誘引された虫を捕獲する捕獲容器とを備え、捕獲容器に捕獲された虫が逃げ出すことのないように、該容器が誘虫効果の高い紫外線を透過する透明成形体で構成されたものがある（例えば、特許文献１参照）。しかしながら、このような捕虫器では、太陽光等の紫外線を含有する光が捕獲容器に照射されることが必要とされているため、このような光が照射されない環境においては、捕獲容器の内部へ紫外線が透過されることがないので、捕獲容器に捕獲された虫が逃げ出すことがある。また、誘引剤を適宜補充する必要があり、利便性に劣る。
【０００４】
また、虫を捕獲する捕獲空間を構成するベース部材とカバー部材とを備えた捕虫器において、捕獲空間には餌入れ部が形成され、さらに該餌入れ部と捕獲空間の入口とを連通する通路が上記部材によって区画形成されたものがある（例えば、特許文献２及参照）。しかしながら、このような捕虫器では、餌入れ部に導かれた虫が捕獲空間から逃げ出すことをある程度防止できるものの、餌の補充に伴う上記利便性の悪さを解消するものでない。
【特許文献１】特開平９−１４０３１０号公報
【特許文献２】特許第３８０５７９３号公報
【発明の開示】
【発明が解決しようとする課題】
【０００５】
本発明は、上記問題を解決するためになされたものであり、大量の虫を捕獲しても捕虫効率が低下することがなく、また簡便な構成でありながら、捕獲部に捕獲された虫が逃げ出すことを防止する捕虫器を提供することを目的とする。
【課題を解決するための手段】
【０００６】
上記目的を達成するために請求項１の発明は、虫を誘引する光を出射する誘虫光源と、前記誘虫光源に誘引された虫を捕獲する空間を区画形成する捕獲部とを備えた捕虫器において、前記捕獲部は、前記誘虫光源により誘引される虫が侵入する入口と、該入口に連通された中空かつ迷路状の捕獲空間とを区画形成する、少なくとも一部が透光性を有する部材で構成され、前記誘虫光源は、前記捕獲空間の終端部に設けられているものである。
【０００７】
請求項２の発明は、請求項１に記載の発明において、前記透光性を有する部材の光透過率が、前記誘虫光源に近付くに連れて高くなるものである。
【０００８】
請求項３の発明は、請求項１又は請求項２に記載の発明において、前記透光性を有する部材の光透過率が、虫の侵入に応じて可変制御されるものである。
【発明の効果】
【０００９】
請求項１の発明によれば、誘虫光源が捕獲空間の終端部に設けられているので、誘虫光源により誘引され、捕獲部の入口を通って捕獲空間に侵入した虫は、最終的に捕獲空間の終端部に導かれることになり、該虫が後戻りして捕獲部から逃げ出すことがない。また、大量の虫が捕獲部に捕獲されていても、捕虫効率が低下することがない。また、誘虫光源は経時的な劣化が少ないので、メンテナンスの手間が軽減されて利便性がよい。
【００１０】
請求項２の発明によれば、捕獲空間に侵入した虫は、誘虫光源に近づくに連れて該光源による明るさを感じることになり、該虫を捕獲空間の終端部に的確に導くことができるので、捕虫効率が向上する。
【００１１】
請求項３の発明によれば、虫が捕獲空間に侵入していないときには、透光性を有する部材の光透過率を高く設定しておき、また虫が捕獲空間に侵入しているときには、光透過率を低く設定しておくことで、省エネルギー化を図りながらも、虫を本器の近傍に効果的に集めることができる。
【発明を実施するための最良の形態】
【００１２】
（第１の実施形態）
本発明の第１の実施形態に係る捕虫器について図１及び図２を参照して説明する。図１、図２は本実施形態に係る捕虫器１の構成を示す。捕虫器１は、飛翔性を持つ昆虫を誘引し、これら虫を捕獲するものであって、虫の多い屋外空間や、屋外空間に面した建物内の空間等に設置される。捕虫器１は、虫１０を誘引する光を出射する誘虫光源２と、誘虫光源２に誘引された虫１０を捕獲する空間を区画形成する捕獲部３とを備える。ここで、捕獲部３は、少なくとも一部が透光性を有する部材で構成される。捕獲部３の上部には、本器１を建物の天井部分に吊り下げるためのチェーン５が設けられている。
【００１３】
誘虫光源２は、紫外線を含有する光を出射する直管型の捕虫用ランプ２１と、この捕虫用ランプ２１に電力供給するランプ取付具２２で構成される。捕虫用ランプ２１の出射光に含まれる紫外線は、虫の走光曲線又は視感度曲線に基づいて設定されており、高い誘虫効果を有している。ランプ取付具２２は、電源線を介して商用電源と接続される。誘虫光源２の設置箇所については後述する。
【００１４】
捕獲部３は、誘虫光源２により誘引される虫１０が侵入する入口３１と、この入口３１に連通された中空かつ迷路状の捕獲空間３２とを有しており、直方体状の外形とされている。上記構成を成すために、捕獲部３は、該部３の外郭となる側板３３及び３４、前板３５、後板３６、天板３７、底板３８と、これら部材で囲まれた空間の間仕切りとなる仕切板３９乃至４１とを備える。底板３８は、その前方端部が前板３５と離反するように配されている。仕切板３９は、前板３５と平行に所定間隔を隔てて配されており、該板３９の下方端部には上述した底板３８の前方端部が連接されている。仕切板４０は、天板３７と平行に所定間隔を隔てて配されており、該板４０の前方端部には仕切板３９の上方端部が連接されている。仕切板４１は、後板３６と平行に所定間隔を隔てて配されており、該板４１の上方端部には仕切板４０の後方端部が連接されている。仕切板３９、４０、４１の各々の側方両端部は、側板３３及び３４とそれぞれ連接されている。以上のような構成により、上述した入口３１は底板３８側に形成され、捕獲空間３２は捕獲部３の内方に向かって渦巻き状に区画された空間となる。
【００１５】
ここで、誘虫光源２は、捕獲空間３２の終端部に設けられている。具体的には、捕獲空間３２の終端部における横方向中央部に、該光源２の長手方向が縦向きとなるように設けられている。
【００１６】
側板３３及び３４、前板３５、後板３６、天板３７、底板３８、仕切板３９乃至４１の各々は、例えば、透明アクリル樹脂、透明ポリカーボート樹脂等の透光性部材で構成され、その光透過率は誘虫光源２に近付くに連れて高くなるように調整されている。例えば、仕切板３９を例に説明すると、その光透過率は該板３９の上方端部から下方端部に向かうに連れて徐々に高くなっている。上記光透過率の調整には、例えば、ハーフミラー処理が用いられる。ここで、側板３４は、捕獲空間３２の終端部まで導かれた虫１０を排出するための窓３４ａを有している。
【００１７】
次に、上記のように構成された捕虫器１の作用について説明する。ユーザにより本器１の電源が投入されると、誘虫光源２が点灯し、誘虫光源２から出射された光は、捕獲部３の各部材を透過して本器１の周辺に出力される。本器１の周辺に居る虫１０は、上記光により誘引されて、入口３１を通って捕獲空間３２に侵入する。捕獲空間３２に侵入した虫１０は、誘虫光源２に向かって移動し、最終的に該光源２のある捕獲空間３２の終端部まで導かれる。これにより、虫１０は捕獲部３に捕獲されることとなる。ここで、捕獲部３に捕獲された虫１０に対するユーザの処置としては、例えば、虫１０を致死させずに排出する方法や、殺虫剤により虫１０を致死させてその死骸を排出する方法等が挙げられる。また、捕獲空間３２の終端部に、虫１０を吸着させる粘着シートを設けて、粘着シートと共に虫１０を排出する方法であってもよい。
【００１８】
以上、本実施形態に係る捕虫器１によれば、誘虫光源２が捕獲空間３２の終端部に設けられているので、誘虫光源２により誘引され、入口３１を通って捕獲空間３２に侵入した虫１０は、最終的に捕獲空間３２の終端部に導かれることになり、該虫１０が後戻りして捕獲部３から逃げ出すことがない。また、大量の虫１０が捕獲部３に捕獲されていても、捕虫効率が低下することがない。また、誘虫光源２は経時的な劣化が少ないので、メンテナンスの手間が軽減されて利便性がよい。
【００１９】
また、捕獲空間３２が、製作容易な渦巻き状に区画されているので、本器１の低コスト化を実現できる。また、捕獲空間３２に侵入した虫１０は、誘虫光源２に近づくに連れて該光源２による明るさを感じることになり、該虫１０を捕獲空間３２の終端部に的確に導くことができるので、捕虫効率が向上する。
【００２０】
次に、第１の実施形態の捕虫器の変形例について図３を参照して説明する。本図に示す捕虫器１は、虫１０の侵入を検知するセンサ６を備えており、このセンサ６は、捕獲部３の入口３１に設けられており、例えば、赤外線センサで構成される。また、側板３３及び３４、前板３５、後板３６、天板３７、底板３８、仕切板３９乃至４１の各々は、例えば、強誘電性液晶を利用した液晶シャッタ等の透光性部材で構成され、その光透過率はセンサ６の検知結果に基づいて可変制御される。上記可変制御に際し、例えば、虫１０が捕獲空間３２に侵入していないときには、上記光透過率を高く設定しておき、虫１０が捕獲空間３２に侵入している場合には、光透過率を低く設定しておくことで、省エネルギー化を図りながらも虫１０を本器１の近傍に効果的に集めることができる。また、虫１０が捕獲空間３２に侵入している場合に、上述のように、光透過率を誘虫光源２に近付くに連れて高くなるように設定しておくことで、虫１０を捕獲空間３２の終端部に的確に導く効果がさらに得られる。
【００２１】
（第２の実施形態）
本発明の第２の実施形態に係る捕虫器について図４及び図５を参照して説明する。図４、図５は本実施形態に係る捕虫器１の構成を示す。本実施形態において、捕獲部３は、円筒状の外形とされており、該部３の外郭となる胴板４２、蓋部４３、底部４４と、これら部材で囲まれた空間の間仕切りとなる仕切板４５及び４６とを備える。蓋部４３には、チェーン５が設けられている。
【００２２】
胴板４２は、略Ｃ形状の断面を有しており、該板４２の上方端部は蓋部４３と連接され、下方端部は底部４４と連接されている。仕切板４５は、胴板４２よりも小さい略Ｃ形状の断面を有しており、該板４５の開口が胴板４２開口側とは反対側に位置するようにして、胴板４２の内側に設けられている。仕切板４６は、略□形状の一部に開口が施された形状の断面を有しており、該板４６の開口が仕切板４５開口側とは反対側に位置するようにして、仕切板４５の内側に設けられている。仕切板４５及び４６の各々は、胴板４２と同様に、その上方端部が蓋部４３と連接されており、下方端部が底部４４と連接されている。以上のような構成により、本器１においては、胴板４２の開口が捕獲部３の入口３１となり、胴板４２内方の上記区画された空間が捕獲空間３２となる。ここで、誘虫光源２は、捕獲空間３２の終端部となる仕切板４６の内方に、該光源の長手方向が縦向きとなるように配されている。
【００２３】
さらに、蓋部４３は、捕獲空間３２の終端部に居る虫１０を下方に送り込むように送風するファン４７を有している。底部４４は、上方に開口４４ａを有した容器形状とされており、ファン４７の風圧によって下方に送り込まれた虫１０を受容するようになっている。底部４４は、受容した虫１０を容易に排出できるように、胴板４２、仕切板４５及び４６に対して脱着自在とされている。ここで、胴板４２、蓋部４３、底部４４、仕切板４５及び４６の各々は、透光性部材で構成されており、その光透過率は第１の実施形態と同様に調整されている。
【００２４】
次に、上記のように構成された捕虫器１の作用について説明する。ユーザにより本器１の電源が投入されると、誘虫光源２が点灯し、併せてファン４７が動作する。誘虫光源２から出射された光は、捕獲部３の各部材を透過して本器１の周辺に出力され、本器１の周辺に居る虫１０は、該光により誘引されて、入口３１を通って捕獲空間３２に侵入する。捕獲空間３２に侵入した虫１０は、誘虫光源２に向かって移動し、最終的に該光源２のある捕獲空間３２の終端部まで導かれる。捕獲空間３２の終端部に導かれた虫１０は、ファン４７よって下方に送り込まれ、底部４４に受容される。以上、本実施形態についても、第１の実施形態と同様の効果を得ることができる。
【００２５】
なお、本発明は、上記各種実施形態の構成に限られず、発明の趣旨を変更しない範囲で種々の変形が可能である。例えば、本器１の周辺に居る虫１０を効果的に入口３１に誘引するために、該入口３１に誘虫光源をさらに設けるようにしてもよい。このような場合、虫１０が捕獲空間３２の終端部まで導かれる効率が、上記誘虫光源の出射光によって低下しないように、捕獲空間３２に侵入した虫１０の数量をセンサによってカウントし、一定数以上の虫１０が捕獲空間３２に侵入しているときには、該光源の出射光量を小さくし、その誘引性を低減させることが好ましい。
【図面の簡単な説明】
【００２６】
【図１】本発明の第１の実施形態に係る捕虫器の斜視図。
【図２】（ａ）は図１のＡ−Ａ線断面図、（ｂ）は図１のＢ−Ｂ線断面図。
【図３】上記捕虫器の変形例を示す斜視図。
【図４】本発明の第２の実施形態に係る捕虫器の斜視図。
【図５】（ａ）は図４のＣ−Ｃ線断面図、（ｂ）は図４のＤ−Ｄ線断面図。
【符号の説明】
【００２７】
１  捕虫器
２  誘虫光源
３  捕獲部
１０  虫
３１  入口
３２  捕獲空間
【図１】
2010004771.tif 000003
【図２】
2010004771.tif 000004
【図３】
2010004771.tif 000005
【図４】
2010004771.tif 000006
【図５】
2010004771.tif 000007